(57)【要約】【課題】光ディスクプレーヤの光ピックアップの駆動に基づくノイズを減少すること。【解決手段】ＤＶＤプレーヤ本体１１の出力端にその出力インピーダンスと一致する特性インピーダンスを持つハイパスフィルタからなるノイズキャンセラ１３を接続する。ノイズキャンセラ１３は光ピックアップの駆動に基づく低周波成分を遮断し、これより高い周波数を持つデジタル信号を通過させるハイパスフィルタであり、これにより音声・映像信号の品質を向上させることができる。【選択図】図１
0003128157.tif 000002
【実用新案登録請求の範囲】
【請求項１】
光ディスクプレーヤ本体と、
前記光ディスクプレーヤ本体から出力されるシリアルデジタル信号が与えられ、光ピックアップの駆動に基づく低周波成分を遮断する少なくとも１つのハイパスフィルタを有するノイズキャンセラと、を有する光ディスクプレーヤ。
【請求項２】
前記ノイズキャンセラは、遮断周波数１００ＫＨｚ以下のハイパスフィルタを有する請求項１記載の光ディスクプレーヤ。
【請求項３】
前記ノイズキャンセラは、複数のハイパスフィルタを縦続した請求項１又は２記載の光ディスクプレーヤ。
【請求項４】
前記ノイズキャンセラは、前記光ディスクプレーヤ本体より音声シリアル信号が与えられる請求項１記載の光ディスクプレーヤ。
【請求項５】
光ディスクプレーヤ本体と、
前記光ディスクプレーヤ本体から出力されるシリアルデジタル信号が与えられ、光ピックアップの駆動に基づく低周波成分を遮断する少なくとも１つのハイパスフィルタを有するノイズキャンセラと、
前記ノイズキャンセラから出力される少なくとも音声信号を増幅するアンプと、を具備する光ディスクプレーヤシステム。
【考案の詳細な説明】
【技術分野】
【０００１】
本考案は光ディスクプレーヤにおいて用いられるノイズ除去用アダプタに特徴を有する光ディスクプレーヤ及び光ディスクプレーヤシステムに関するものである。
【背景技術】
【０００２】
従来ＤＶＤプレーヤやＣＤプレーヤ等の光ディスクを用いたプレーヤには、デジタル出力端子として同軸出力端子や光出力端子を有し、同軸ケーブルや光ケーブルで後段のＡＶアンプやＤＡコンバータ及び増幅器に接続されている。
【考案の開示】
【考案が解決しようとする課題】
【０００３】
しかるに従来の光ディスクプレーヤでは、光ディスクのピットに光を正確に照射するためにトラッキングサーボやフォーカスサーボ等が用いられ、光ピックアップを光ディスクに対して上下動及び半径方向に移動させてピットに対して追従させるようにしている。このため光ピックアップは電磁石により駆動する必要があり、この電磁石の駆動に基づくノイズがオーディオ出力や映像出力のデジタル出力に重畳されてしまうという欠点があった。
【０００４】
本考案はこのような欠点を解消するためになされたものであって、光ディスクプレーヤ内の光ピックアップのサーボ動作に基づくノイズを除去して、ノイズのない音声信号を得るようにしたものである。
【課題を解決するための手段】
【０００５】
この課題を解決するために、本考案の光ディスクプレーヤは、光ディスクプレーヤ本体と、前記光ディスクプレーヤ本体から出力されるシリアルデジタル信号が与えられ、光ピックアップの駆動に基づく低周波成分を遮断する少なくとも１つのハイパスフィルタを有するノイズキャンセラと、を有するものである。
【０００６】
ここで前記ノイズキャンセラは、遮断周波数１００ＫＨｚ以下のハイパスフィルタを有するようにしてもよい。
【０００７】
ここで前記ノイズキャンセラは、複数のハイパスフィルタを縦続するようにしてもよい。
【０００８】
ここで前記ノイズキャンセラは、前記光ディスクプレーヤ本体より音声シリアル信号が与えられるようにしてもよい。
【０００９】
この課題を解決するために、本考案の光ディスクプレーヤシステムは、光ディスクプレーヤ本体と、前記光ディスクプレーヤ本体から出力されるシリアルデジタル信号が与えられ、光ピックアップの駆動に基づく低周波成分を遮断する少なくとも１つのハイパスフィルタを有するノイズキャンセラと、前記ノイズキャンセラから出力される少なくとも音声信号を増幅するアンプと、を具備するものである。
【考案の効果】
【００１０】
このような特徴を有する本考案によれば、光ディスクプレーヤの光ディスクアップの駆動に基づくノイズをノイズキャンセラによって除去することができ、ノイズのない信号を得ることができる。従って再生された音声や映像信号の品質を大幅に向上させることができるという効果が得られる。
【考案を実施するための最良の形態】
【００１１】
図１は本考案の実施の形態によるＤＶＤプレーヤシステムの全体構成を示すブロック図である。この図においてＤＶＤプレーヤ本体１１は周知のＤＶＤプレーヤであって、音声、映像の出力端子として音声デジタル出力端子１２ａ及び映像出力端子１２ｂを有している。音声デジタル出力端子は例えば７５Ωのインピーダンスを持ったシリアルデジタル信号の出力端子であり、ノイズキャンセラ１３に接続される。ノイズキャンセラ１３は後述するように低周波成分のノイズをキャンセルするもので、その出力端子はＤＶＤプレーヤ１０の音声出力端子１４ａに接続される。この出力端子１４ａは更に同軸ケーブル１５を介してＡＶアンプ１６に接続される。又ＤＶＤプレーヤ１０からの映像出力は映像出力端子１４ｂよりケーブル１７を介してＡＶアンプ１６に接続される。ＡＶアンプ１６はこれらの音声入力信号及び映像入力信号を入力し、音声信号をＤ／Ａ変換器でアナログ信号に変換し、増幅器を介してスピーカ１８より出力すると共に、映像信号を増幅してモニタ１９に出力するものである。
【００１２】
次にノイズキャンセラ１３について以下に詳細に説明する。図２はノイズキャンセラ１３の内部回路を示す図である。本図に示すようにノイズキャンセラ１３は特性インピーダンス、例えば７５Ωに等しい抵抗値の抵抗Ｒ１，Ｒ２の直列回路と、これらの抵抗Ｒ１，Ｒ２に並列に接続されるコンデンサＣ１、及び抵抗Ｒ１，Ｒ２の接続端と接地端間とを接続するインダクタＬ１を有している。このノイズキャンセラは、例えば周波数１００ＫＨｚを遮断周波数とし、それ以下の周波数を遮断し、これを超える周波数を通過させるハイパスフィルタである。この遮断周波数は音声シリアルデジタル信号の周波数が１ＭＨｚ以上であるため、音声信号に悪影響を与えることなく低周波成分を遮断することができる周波数として選択されている。尚、ノイズキャンセラ１３はここでは１段のハイパスフィルタとしているが、複数段のハイパスフィルタを縦続接続してもよい。この場合には遮断周波数を同一としてもよく、又第１段目の遮断周波数を１００ＫＨｚ、第２段目のハイパスフィルタの遮断周波数を５０ＫＨｚのように、遮断周波数を異ならせて縦続接続するようにしてもよい。
【００１３】
さてＤＶＤプレーヤ本体内では光ピックアップが光ディスクのピットに追従するために前述したようにトラッキングサーボやフォーカスサーボが用いられ、使用時には音声デジタル信号にこれらの周波数が重畳されている。この周波数はデジタル音声信号より十分低い周波数であるので、ノイズキャンセラ１３ではこの周波数を遮断することによって、音声デジタル周波数の信号のみを後段のＡＶアンプ１６に伝える。これによって音声信号の品質を大幅に向上させることができる。
【００１４】
尚ここでは７５Ωのデジタル音声信号についてノイズキャンセラを用いたが、ノイズキャンセラのインピーダンスもこのインピーダンスに一致させておくことによって高周波的にみて定在波等が立つことがなく、ノイズキャンセラの挿入に基づく悪影響をなくすることができる。
【００１５】
図３はこのノイズキャンセラ１３の他の例を示す回路図であって、バランス型の出力規格に対応するものである。この図においてＴ１，Ｔ２は夫々入出力側に接続されるパルストランスである。パルストランスＴ１の２次側は図２と同様の直列抵抗Ｒ３，Ｒ４とコンデンサＣ１及びコイルＬ１を用いたハイパスフィルタとする。これによってバランス型のノイズキャンセラを構成することができる。又例えば特性インピーダンスが１１０Ωであれば、抵抗Ｒ１，Ｒ２をこのインピーダンスに等しい抵抗値としておくことによって、定在波を生じさせることなくノイズキャンセラを挿入することができる。
【００１６】
この実施の形態ではノイズキャンセラ１３の出力をそのまま端子１４ａを介して同軸ケーブルで出力するようにしているが、ノイズキャンセラ１３の出力を光信号に変換し、光出力端子より光ファイバを介してＡＶアンプ１６に接続するようにしてもよい。
【００１７】
又この実施の形態では、ＤＶＤプレーヤ本体とノイズキャンセラとを一体化してＤＶＤプレーヤとして実現したが、ＡＶアンプのＤ／Ａ変換器、増幅器を一体化した装置の場合にはその前段にノイズキャンセラ１３を付加したＤＶＤプレーヤシステムとして実現することができる。又ノイズキャンセラ自体を単体として使用し、ＤＶＤプレーヤ本体のデジタル音声信号出力端子やデジタル映像信号出力端子に接続して用いることもできる。
【００１８】
又本実施の形態では、遮断周波数を１００ＫＨｚ以下としているが、例えば２００ＫＨｚから１０ＫＨｚのうちの任意の周波数を遮断周波数として選択してもよい。
【００１９】
更に本実施の形態ではＤＶＤプレーヤを例にあげて説明したが、本考案はＣＤプレーヤやブルーレイレーザプレーヤなど、他の種類の光ディスクプレーヤを対象として用いることもできる。
【００２０】
又本実施の形態では音声シリアル信号についてノイズキャンセラを用いる例について説明したが、映像のシリアル信号に対しても同様にトラッキングやフォーカスサーボに基づく低周波ノイズを遮断するためのノイズキャンセラを用いて映像品質を向上させることができる。
【００２１】
更にハイパスフィルタとしては、ここに示したものに限らず、他の種々の形式のハイパスフィルタを用いることができる。
【図面の簡単な説明】
【００２２】
【図１】本考案の実施の形態によるＤＶＤプレーヤシステムの構成を示す図である。
【図２】本実施の形態によるノイズキャンセラの一例を示す回路図である。
【図３】本実施の形態によるノイズキャンセラの他の例を示す回路図である。
【符号の説明】
【００２３】
１０  ＤＶＤプレーヤ
１１  ＤＶＤプレーヤ本体
１３  ノイズキャンセラ
１２ａ，１２ｂ，１４ａ，１４ｂ  出力端子
１５，１７  同軸ケーブル
１６  ＡＶアンプ
１８  スピーカ
１９  モニタ
【図１】
0003128157.tif 000003
【図２】
0003128157.tif 000004
【図３】
0003128157.tif 000005